(57)【特許請求の範囲】
【請求項１】
印刷機を構成する各駆動系に潤滑油を給油し回収する給油ポンプを備えた給油装置であって、
潤滑油を所要の温度に制御する油温調整手段と、
前記油温調整手段の吐出側に配設され、潤滑後の汚れた潤滑油を濾過させる第１フィルタと、
前記第１フィルタより下流側に配設され、該第１フィルタで濾過された潤滑油をさらに濾過させる第２フィルタと、
この第２フィルタを挟んでその上流側と下流側に設けられた圧力計と、下流側に設けられた検流計とからなる前記第２フィルタおよび油道部の目詰まり検出手段とを備えてなり、
前記第２フィルタを通過して浄化された適温の潤滑油のみを、前記印刷機を構成する各駆動系に給油させることを特徴とする給油装置。
【請求項２】
前記油温調整手段は、ポンプ機能を備えてなることを特徴する請求項１記載の給油装置。
【請求項３】
前記給油ポンプは、前記第１フィルタと前記第２フィルタとの間に配設されてなることを特徴とする請求項１または２記載の給油装置。
【請求項４】
前記給油ポンプと前記第２フィルタとの間の油圧に基づいて作動可能に配設されると共に、上昇した該油圧を油温調整手段の吸込側または吐出側に逃がすリリーフ弁が設けられていることを特徴とする請求項３記載の給油装置。
【発明の詳細な説明】
【技術分野】
【０００１】
本発明は、印刷機を構成する各駆動系に潤滑油を給油し回収するオイル循環式の給油装置に関する。
【背景技術】
【０００２】
従来から印刷機は、オイル循環式の給油装置を用いて、圧胴や版胴などの胴ギア部、インキングのギア部、カム、レバー等、各駆動系の構成部に潤滑油を給油している。
【０００３】
この給油装置の先行例として、例えば、オイルバスに貯えられた潤滑油を、まず、給油ポンプより下流側に設けた第１フィルタに取り込んで濾過し、給油ポンプから吐出した潤滑油を分流器によって二方に分流する。そして、一方に分流した潤滑油を印刷機に供給すると共に、他方に分流した潤滑油を、第２フィルタに取り込んで摩耗粉や水分を吸収し、第１フィルタの下流側に送り込む、としたものがある。このように、不純物を濾過するフィルタを２個所に配設して浄化を向上させている（例えば特許文献１参照）。
【特許文献１】特開２００５−９０６４９（第２頁、図３）
【発明の開示】
【発明が解決しようとする課題】
【０００４】
しかしながら、上記した従来の給油装置は、オイルバスで受けた潤滑後のオイルを、第１フィルタによって濾過した後、二方に分流し、その一方を印刷機に供給する構成になっているため、結果的には、第１フィルタによって濾過できない摩耗粉や水分を含んだ潤滑油を、圧胴や版胴などの胴ギア部、インキングのギア部、カム、レバー等、各駆動系の構成部に供給することになり、構成部材の磨耗やキズの発生等が生じやすいといった問題点を有していた。
【０００５】
また、駆動開始直後の印刷機と、駆動から数時間を経た印刷機では、当然のことながら後者の印刷機の方が、印刷機を構成する各駆動系の温度がフリクションによって上昇している。より具体的には、軸やその軸と係合する軸受け等では、軸の回転による摩擦で各構成部材が熱膨張して、作動不良・故障の発生原因となる。
【０００６】
潤滑油は周知の通り、油温が高いと動粘性係数は低くなり、その逆に油温が低いと動粘性係数は高くなるが、潤滑油としての性能を十分に発揮させるためには、所謂適温の領域がある。しかしながら、先行した従来の給油装置は、油温のコントロールについて考慮していないために、最適な油温による潤滑油の給油ができない。
【０００７】
そこで本発明は、このような状況に鑑みてなされたものであり、印刷機を構成する各駆動系に、摩耗粉や水分を除去して清浄された潤滑油のみを安全に給油でき、しかも、潤滑油としての性能を十分に発揮できる給油装置を提供することを目的とする。
【課題を解決するための手段】
【０００８】
上記技術課題を達成するために、本発明にかかる給油装置は、下記の技術的手段を講じた。
【０００９】
すなわち、請求項１にかかる給油装置は、印刷機を構成する各駆動系に潤滑油を給油し回収する給油ポンプを備えた給油装置であって、潤滑油を所要の温度に制御する油温調整手段と、前記油温調整手段の吐出側に配設され、潤滑後の汚れた潤滑油を濾過させる第１フィルタと、前記第１フィルタより下流側に配設され、該第１フィルタで濾過された潤滑油をさらに濾過させる第２フィルタと、この第２フィルタを挟んでその上流側と下流側に設けられた圧力計と、下流側に設けられた検流計とからなる前記第２フィルタおよび油道部の目詰まり検出手段とを備えてなり、前記第２フィルタを通過して浄化された適温の潤滑油のみを、前記印刷機を構成する各駆動系に給油させることを特徴とする。
【００１０】
請求項２にかかる給油装置は、請求項１において、前記油温調整手段は、ポンプ機能を備えてなることを特徴する。
【００１１】
請求項３にかかる給油装置は、請求項１または２において、前記給油ポンプは、前記第１フィルタと前記第２フィルタとの間に配設されてなることを特徴とする。
【００１２】
請求項４にかかる給油装置は、請求項３において、前記給油ポンプと前記第２フィルタとの間の油圧に基づいて作動可能に配設されると共に、上昇した該油圧を油温調整手段の吸込側または吐出側に逃がすリリーフ弁が設けられていることを特徴とする。
【発明の効果】
【００１３】
本発明によれば、第１フィルタを経て第２フィルタを通過した清浄で適温の潤滑油のみを、印刷機を構成する各駆動系に給油させる構成にしたから、特に軸や軸受けの熱膨張変化がなく、良好な状態に保つことができる。加えて、圧胴や版胴などの胴ギア部、インキングのギア部、カム、レバー等、各駆動系の構成部材に、磨耗やキズの発生等が生じにくい、極めて好適な給油装置を提供できる。
【００１４】
しかも、油温調整手段を設けて、潤滑油としての性能を十分に発揮できる温度に調整可能になったから、常にベストな条件で給油を行うことができる。例えば、印刷機の始動時には加温した給油を、始動から数時間を経た稼動時には冷却した給油を行うことができる。
【発明を実施するための最良の形態】
【００１５】
次に、本発明にかかる給油装置の実施の形態を説明する。
【００１６】
本実施の形態にかかる給油装置は、圧胴や版胴などの胴ギア部、インキングのギア部、カム、レバー等、各駆動系の各部に連通された油道部（図示せず）と、オイルバス（潤滑後の潤滑油貯め）とを備えた印刷機に用いられるもので、浄化された潤滑油を上記した油道部を介して各部へ給油し、オイルバスへ貯められた汚れた潤滑油を回収・浄化し、再度、その浄化された潤滑油を油道部へ送り込む、といった一連のオイル循環サイクルが構築されるように構成されている。図中、符号１は、油温調整手段を、符号２は、第１フィルタを、符号４は、第２フィルタを夫々示す。
【００１７】
本実施の形態にかかる給油装置は、図１に示すように、油温調整手段１と、第１フィルタ２と、給油ポンプ３と、第２フィルタ４と、リリーフ弁５とを備えて構成される。
【００１８】
油温調整手段１は、ヒータと、そのヒータ（図示せず）を制御して潤滑油Ａを所望の温度にする制御部（図示せず）と、ポンプ機能を備えて構成され、潤滑油Ａの吸い込んで所望の温度に加温（または冷却）し、その加温された潤滑油Ａを吐出するようになっている。この油温調整手段１は、その吸込側と吐出側が、配管を介してオイルバスｍ１と接続されている。
【００１９】
第１フィルタ２は、油分中の水分や微細な磨耗粉以外のその他の汚れを濾過する目詰まり検知付のサクションフィルタであり、その上流側が配管を介して油温調整手段１の吐出側とオイルバスｍ１との間に配管中途部に接続され、下流側が配管を介して後述する給油ポンプ３の吸込側に接続されている。
【００２０】
給油ポンプ３は、潤滑油Ａの吸い込み及び吐出をするもので、上記したように、給油ポンプ３の吸込側が配管を介して第１フィルタ２の下流側に接続され、給油ポンプ３の吐出側が配管を介して第２フィルタ４の上流側に接続されている。また、給油ポンプ３の吐出側と第２フィルタ４の上流側との間には、その間の油圧を検出する第１圧力計６が配設されている。
【００２１】
第２フィルタ４は、油分中の水分の除去や微細な磨耗粉を除去するラインフィルタであり、上記したように、その上流側が配管を介して給油ポンプ３の吐出側に接続されている。
【００２２】
また、第２フィルタ４より下流側には、潤滑油Ａの流れを検出する検流器７と油圧を検出する第２圧力計８とが、配管を介して接続されており、さらに、第２圧力計８より下流側は、配管を介して、印刷機Ｍの各駆動系の各部に連通された油道部と接続されて各部の潤滑を行い、潤滑後の汚れた潤滑油Ａはオイルバスｍ１に貯えられる。
【００２３】
なお、第２フィルタ４を挟んで上流側と下流側に配設された第１圧力計６と第２圧力計８との差に異常が生じたり、検流器７が潤滑油Ａの流れの異常を検出した際、（すなわち、第２フィルタ４の目詰まり、第２フィルタ４より下流側の配管内の目詰まりや、各駆動系の各部に連通された油道部内の目詰まりによって生じる）に、黄色または赤色の回転灯や、ブザー等で報知（警報報知）するようになっている。また、第１フィルタ２の目詰まりや配管詰まりの場合にも、同様に警報報知するようになっている。
【００２４】
リリーフ弁５は、給油ポンプ３と第２フィルタ４との中途部と、油温調整手段１の吸込側に接続された配管の中途部とを結ぶように配設されており、給油ポンプ３と第２フィルタ４との間の油圧が、所定圧力以上になった場合に、油温調整手段１の吸込側に接続された配管の中途部へその圧力を逃がすようになっている。
【００２５】
次に、以上のように構成された本実施の形態にかかる給油装置の一連の動作を説明する。
【００２６】
まず、油温調整手段１に備えられたポンプ機能と、給油ポンプ３の作動によって、オイルバスｍ１へ貯められた汚れた潤滑油Ａを吸い込み、油温調整手段１によって、予め設定された温度に加温（または冷却）されて、油温調整手段１の吐出側から吐出する。
【００２７】
油温調整手段１の吐出側から吐出した汚れた潤滑油Ａは、第１フィルタ２で、油分中の水分や微細な磨耗粉を除いたその他の汚れを濾過する。このとき、第１フィルタ２の目詰まりや、配管詰まりが仮に生じても、第１フィルタ２が検知して異常を報知する。
【００２８】
第１フィルタ２を通過した潤滑油Ａは、給油ポンプ３を通過して、第２フィルタ４へ流入する。なお、第２フィルタ４側へ流す潤滑油Ａの量を調整する場合は、給油ポンプ３の吐出量を調整したり、別途絞り弁を、給油ポンプ３と第２フィルタ４との間に設けて、その絞り弁を所要量開閉したりすることによって可能である。
【００２９】
第２フィルタ４へ流入した潤滑油Ａに対し、第２フィルタ４は、第１フィルタ２で除去できなかった油分中の水分や微細な磨耗粉を除去して潤滑油Ａを浄化し、印刷機Ｍの各駆動系の各部に連通された油道部に流入して各部の潤滑に供する。
【００３０】
このとき、第２フィルタ４の目詰まり、第２フィルタ４より下流側の配管内の目詰まりや、各駆動系の各部に連通された油道部内の目詰まりが仮に生じても、第１圧力計６、第２圧力計８や、検流器７が検知して異常を報知する。また、仮に、給油ポンプ３と第２フィルタ４との間の油圧が、所定圧力以上になったとしても、リリーフ弁５によって、油温調整手段１の吸込側に接続された配管の中途部へその圧力を逃がす。
【００３１】
次いで、各部の潤滑に供された潤滑油Ａは、各油道部や配管（印刷機Ｍの）を通ってオイルバスｍ１に集められ、そして、上記した一連のサイクルを繰り返す。
【００３２】
このように本実施の形態にかかる給油装置は、第１フィルタ２を経て第２フィルタ４を通過した清浄で適温の潤滑油Ａのみを、印刷機Ｍの各駆動系に給油するようになっている。したがって、圧胴や版胴などの胴ギア部、インキングのギア部、カム、レバー等、各駆動系の構成部材に、磨耗やキズの発生等が生じにくく、しかも、潤滑油Ａが好適な粘性状態を維持しているために、常にベストな条件で給油を行うことができる。
【００３３】
以上、本実施の形態にかかる給油装置を説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００３４】
【図１】本実施の形態にかかる給油装置の油圧回路図である。
【符号の説明】
【００３５】
１  油温調整手段
２  第１フィルタ
３  給油ポンプ
４  第２フィルタ
５  リリーフ弁
６  第１圧力計
７  検流器
８  第２圧力計
Ｍ  印刷機
ｍ１  オイルバス
Ａ  潤滑油
【図１】
0004613105.tif 000002